(57)【要約】      （修正有）【課題】処方箋情報以外の患者情報を付加して、薬剤の交付までの患者待ち時間を短縮する処方箋情報送信システム、患者情報管理サーバ、情報送信方法及びプログラムを提供する。【解決手段】処方箋情報送信システム１００は、患者端末１と、患者情報管理サーバ２とを含む。患者端末は、処方箋に記載された薬剤の情報を含む処方箋情報を受け付ける受付手段を備える。患者情報管理サーバは、患者に関する検査結果及び測定結果の少なくともいずれかを含む患者情報が記憶された記憶手段と、患者端末から送信された処方箋情報に基づいて、記憶手段から、処方箋に記載された薬剤に関連し、患者に関する検査結果及び測定結果の少なくともいずれかを含む患者情報を抽出する抽出手段とを備える。患者端末において受け付けた処方箋情報と、患者情報管理サーバにおいて抽出された患者情報は、対応付けられて薬局で使用される装置に送信される。【選択図】図１
2019192272.tif 000002
【特許請求の範囲】
【請求項１】
患者端末と、患者情報管理サーバと、を含む処方箋情報送信システムであって、
前記患者端末は、
処方箋に記載された薬剤の情報を含む処方箋情報を受け付ける受付手段を備え、
前記患者情報管理サーバは、
患者に関する検査結果及び測定結果の少なくともいずれかを含む患者情報が記憶された記憶手段と、
前記患者端末から送信された前記処方箋情報に基づいて、前記記憶手段から、前記処方箋に記載された薬剤に関連し、前記患者に関する検査結果及び測定結果の少なくともいずれかを含む患者情報を抽出する抽出手段と、
を備え、
前記処方箋情報送信システムから、前記患者端末において受け付けた前記処方箋情報と、前記患者情報管理サーバにおいて抽出された前記患者情報とが、対応付けられて薬局で使用される装置に送信される、
処方箋情報送信システム。
【請求項２】
前記受付手段は、処方箋が撮影された画像のテキストを認識することにより、処方箋情報を受け付ける、
請求項１に記載の処方箋情報送信システム。
【請求項３】
前記抽出手段によって抽出される患者情報は、前記薬剤の服用に影響する疾患に関する情報を含む、
請求項１に記載の処方箋情報送信システム。
【請求項４】
前記抽出手段によって抽出される患者情報は、前記薬剤の服用に影響する他の薬剤に関する情報を含む、
請求項１に記載の処方箋情報送信システム。
【請求項５】
患者に関する検査結果及び測定結果の少なくともいずれかを含む患者情報が記憶された記憶手段と、
患者の処方箋に記載された薬剤の情報を含み、他の装置から送信された処方箋情報に基づいて、前記記憶手段から、前記処方箋に記載された薬剤に関連し、前記患者に関する検査結果及び測定結果の少なくともいずれかを含む患者情報を抽出する抽出手段と、
前記処方箋情報と前記抽出手段が抽出した患者情報とを対応付けて薬局で使用される装置に送信する送信制御手段と、
を備える患者情報管理サーバ。
【請求項６】
患者端末と、患者情報管理サーバと、を含む処方箋情報送信システムで実行される処方箋情報を送信する情報送信方法であって、
処方箋に記載された薬剤の情報を含む処方箋情報を受け付ける受付ステップと、
前記患者端末から送信された前記処方箋情報に基づいて、患者に関する検査結果及び測定結果の少なくともいずれかを含む患者情報が記憶された記憶手段から、前記処方箋に記載された薬剤に関連し、前記患者に関する検査結果及び測定結果の少なくともいずれかを含む患者情報を抽出する抽出ステップと、
前記処方箋情報と、前記抽出ステップにおいて抽出した患者情報とを対応付けて薬局で使用される装置に送信する送信ステップと、
を含む情報送信方法。
【請求項７】
患者に関する検査結果及び測定結果の少なくともいずれかを含む患者情報が記憶された記憶手段から前記患者情報を取得可能なコンピュータを、
患者の処方箋に記載された薬剤の情報を含み、他の装置から送信された処方箋情報に基づいて、前記記憶手段から、前記処方箋に記載された薬剤に関連し、前記患者に関する検査結果及び測定結果の少なくともいずれかを含む患者情報を抽出する抽出手段、
前記処方箋情報と、前記抽出手段が抽出した患者情報とを対応付けて薬局で使用される装置に送信する送信制御手段、
として機能させるプログラム。
【発明の詳細な説明】
【技術分野】
【０００１】
本発明は、処方箋情報送信システム、患者情報管理サーバ、情報送信方法及びプログラムに関する。
【背景技術】
【０００２】
近年、医師が患者に処方箋を交付し、交付された処方箋を患者が薬局の薬剤師に持参して薬局の薬剤師がその処方箋に基づき調剤を行うことにより、医師と薬剤師がそれぞれの専門分野で業務を分担し国民医療の質的向上を図る医薬分業が活発に行われている。患者から薬剤師への処方箋の受け渡しは、処方箋を予めＦＡＸにより送信しておくことにより、処方箋を受け渡してから薬剤を交付するまでの時間を短縮することが行われている。
ＦＡＸ機器は、医療機関等に患者が使用できるものが置かれていない場合があり、その場合には予め処方箋情報を薬剤師に知らせることができないため、特許文献１には、処方箋の画像データに基づいてメールを送信する装置が開示されている。
【先行技術文献】
【特許文献】
【０００３】
【特許文献１】特開２００５−１３７４４３号公報
【発明の概要】
【発明が解決しようとする課題】
【０００４】
しかしながら、メール等により処方箋情報を予め薬剤師に知らせたとしても、薬剤師は、その患者がどのような疾患を有しているか、他にどのような薬剤を服用しているか等の処方箋情報以外の患者の情報がわからないため、処方箋を受け渡してから薬剤を交付するまでの患者の待ち時間（患者待ち時間）の短縮は限定的であった。
即ち、処方箋情報以外の情報は付加されないため、薬剤の交付までの患者待ち時間はあまり短縮されなかった。
【０００５】
本発明は、処方箋情報以外の患者情報を付加して、薬剤の交付までの患者待ち時間を短縮することを目的とする。
【課題を解決するための手段】
【０００６】
上記目的を達成するため、本発明の一態様の情報送信方法は、
コンピュータで実行される処方箋情報を送信する情報送信方法であって、
処方箋に記載された薬剤の情報を含む処方箋情報を受け付ける受付ステップと、
患者情報が記憶された記憶手段から、前記薬剤に関連する患者情報を抽出する抽出ステップと、
前記処方箋情報と、前記抽出ステップにおいて抽出した患者情報とを薬局に送信する送信ステップと、
を含むことを特徴とする。
【発明の効果】
【０００７】
本発明によれば、処方箋情報以外の患者情報を付加して、薬剤の交付までの患者待ち時間を短縮することができる。
【図面の簡単な説明】
【０００８】
【図１】処方箋情報送信システムのシステム構成を示す概念図である。
【図２】処方箋情報送信システムの機能的構成を示す機能ブロック図である。
【図３】患者情報管理サーバの記憶部に設けられる、添付文書ＤＢのデータ構造を例示する概念図である。
【図４】処方箋情報送信システムによる処方箋情報送信処理の流れを示すフローチャートである。
【発明を実施するための形態】
【０００９】
［本発明の実施形態］
以下、本発明の実施形態について図面を参照して説明する。
【００１０】
［処方箋情報送信システム１００のシステム構成］
図１を参照して、本発明の処方箋情報送信システム１００は、処方箋情報を含む患者情報の入力を受け付ける患者端末１と、患者情報を管理する患者情報管理サーバ２と、ＦＡＸ送信サーバ３とを含んで構成される。
ここで、処方箋情報とは、医療機関において発行される処方箋に記載された薬剤の交付に関する情報をいう。また、患者情報とは、患者の疾患、その治療の情報、治療のために必要な身体・生活環境に関する情報等の例えば地域包括ケアに有用な情報をいう。患者情報には、例えば、疾患情報、服薬歴等の治療情報、身長・体重や食生活に関する情報を含む。患者情報は、テキストとして記憶されるものの他、例えば、皮膚疾患の皮膚やレントゲン写真等のように画像として記憶されるものを含んで構成される。
【００１１】
具体的には後述するが処方箋情報送信システム１００においては、患者端末１は、医療機関から処方箋を受領した患者から処方箋情報を受け付けて、患者から一の薬局選択を薬局情報として受け付ける。患者端末１は、受け付けた処方箋情報及び薬局情報を、患者情報管理サーバ２に送信するようになっている。
患者情報管理サーバ２は、処方箋情報に基づいて患者情報を抽出して、処方箋情報、薬局情報及び患者情報を、ＦＡＸ送信サーバ３に送信するようになっている。
ＦＡＸ送信サーバ３は、受信した処方箋情報に患者情報を付加したＦＡＸイメージを生成し、薬局情報に基づいて特定した薬局にＦＡＸを送信するようになっている。
【００１２】
なお、処方箋情報送信システム１００においては、患者情報管理サーバ２が患者端末１以外から患者情報を受け付けるように構成されてよい。
例えば、患者の体温を計測する体温計４ａや患者の体重を計測する体重計４ｂから通信機器５を経由して、当該患者の体温や体重等の患者情報を受け付けてよい。
また、例えば、病院や薬局に備えられた、レセプトコンピュータ６や薬歴管理装置７等の患者情報を管理するコンピュータから、当該患者の患者情報を受け付けてよい。
【００１３】
［ハードウェア構成］
患者端末１は、スマートフォンとして構成される。患者端末１は、各種演算処理を行う制御部１１や各種情報を記憶する記憶部１２に加え、タッチパネル等により実現される入力部及びディスプレイによる表示部、インターネットを含むネットワークを介して他の装置との間で行う通信を制御する通信部１３及び処方箋の画像を撮影する撮像部１４を備える。このような患者端末１は、各種プログラムが記憶部１２にインストールされており、制御部１１がこれらプログラムに従い動作することで、処方箋送信機能を発揮する。
【００１４】
患者情報管理サーバ２は、サーバコンピュータとして構成される。患者情報管理サーバ２は、患者情報を蓄積・管理する装置であり、各種演算処理を行う制御部２１や各種情報を記憶する記憶部２２に加え、キーボード等により実現される入力部及びディスプレイによる表示部及びインターネットを含むネットワークを介して他の装置との間で行う通信を制御する通信部２３を備える。このような患者情報管理サーバ２は、各種プログラムがインストールされており、制御部２１がこれらプログラムに従い動作することで、患者情報を入出力する機能を発揮する。
【００１５】
ＦＡＸ送信サーバ３は、サーバコンピュータとして構成される。ＦＡＸ送信サーバ３は、患者情報を蓄積・管理する装置であり、各種演算処理を行う制御部３１や各種情報を記憶する記憶部３２に加え、キーボード等により実現される入力部及びディスプレイによる表示部及びインターネットを含むネットワークを介して他の装置との間で行う通信を制御する通信部３３を備える。このようなＦＡＸ送信サーバ３は、各種プログラムがインストールされており、制御部３１がこれらプログラムに従い動作することで、薬局に処方箋情報を送信する機能を発揮する。
【００１６】
［機能的構成］
処方箋情報送信機能を発揮するための処方箋情報送信システム１００の機能的構成のうち、処方箋情報送信処理を実行するための機能的構成を、図２を参照して説明する。
図２は、処方箋情報送信システムの機能的構成を示す機能ブロック図である。
ここで、処方箋情報送信処理とは、受け付けた処方箋情報を薬局に送信するとともに、処方箋情報に関連する患者情報を薬局に送信するための一連の処理をいう。
【００１７】
処方箋情報送信処理を実行するため、患者端末１の制御部１１においては、処方箋情報受付部１１１と、薬局選択受付部１１２と、送信制御部１１３とが機能し、記憶部１２の一領域においては、薬局情報ＤＢ１２１が記憶される。
また、患者情報管理サーバ２の制御部２１においては、患者情報受付部２１１と、患者情報抽出部２１２と、送信制御部２１３とが機能し、記憶部２２の一領域においては、患者情報ＤＢ２２１と、添付文書ＤＢ２２２とが記憶される。
また、ＦＡＸ送信サーバ３の制御部３１においては、ＦＡＸイメージ生成部３１１と、ＦＡＸ送信制御部３１２とが機能する。
【００１８】
患者端末１の薬局情報ＤＢ１２１は、処方箋情報を送信するための薬局に関する情報を記憶する。薬局情報ＤＢ１２１は、例えば、薬局名、薬局位置及びＦＡＸ番号等を含んで記憶する。
【００１９】
患者情報管理サーバ２の患者情報ＤＢ２２１は、過去の患者情報を記憶する。患者情報ＤＢ２２１は、例えば、患者を特定する患者識別情報、記録日時、疾患情報、服薬歴等の治療情報、身長・体重や食生活に関する情報を含んで記憶する。
【００２０】
患者情報管理サーバ２の添付文書ＤＢ２２２は、薬剤の添付文書のデータが項目ごとに薬剤と関連付けて記憶されている。添付文書とは、薬剤において、薬剤名、使用上の注意、品目仕様その他の重要事項を記載した、医師・医療機関関係者向けの製品情報記載書面である。添付文書Ｄ２２２には、添付文書の項目に対応して、薬剤名のほか、適応症と用法用量を示す効能効果、使用上の注意等の情報等が記載されている。また、特に図示はしないが、添付文書に記載された情報の他、長期投与チェック薬、ハイリスク薬等の添付文書外の項目を設けてもよい。
ここで、使用上の注意とは、服薬指導を行う際に参考とする、添付文書に記載された薬剤の投与が禁止・制限される病気や併用薬剤に関する注意を促す情報であって、その注意の度合いから使用上の注意は、警告、禁忌、原則禁忌、慎重投与等のように段階的に記載されている。なお、警告及び禁忌等は、添付文書において使用上の注意とは独立した項目となっているが、本実施形態においては、使用上の注意に含むように構成してもよい。
【００２１】
処方箋情報受付部１１１は、患者の操作に基づいて、処方箋情報を受け付ける。
具体的には、処方箋情報受付部１１１は、患者の操作に基づいて撮像部１４から処方箋の画像のデータを取得する。処方箋情報受付部１１１は、取得した処方箋の画像のデータからテキスト部分を認識して処方箋情報として受け付ける。
【００２２】
薬局選択受付部１１２は、処方箋情報を送信する薬局候補の一覧を表示し、患者の操作に基づいて、一の薬局の選択を薬局情報として受け付ける。
具体的には、薬局選択受付部１１２は、薬局情報ＤＢ１２１を参照して、薬局候補の一覧を作成して表示部に表示する。薬局選択受付部１１２は、表示した薬局候補の一覧のうち、患者の操作に基づいて一の薬局の選択を薬局情報として受け付ける。
【００２３】
送信制御部１１３は、処方箋情報及び薬局情報を含む処方箋情報送信要求を、患者情報管理サーバ２に送信するように制御する。
具体的には、送信制御部１１３は、処方箋情報受付部１１１が受け付けた処方箋情報、薬局選択受付部１１２が受け付けた薬局情報及び患者を特定する情報を含む処方箋情報送信要求を、通信部１３を介して患者情報管理サーバ２に送信するように制御する。
【００２４】
患者情報受付部２１１は、処方箋情報を含む患者情報を受け付けて記憶する。
なお、患者情報受付部２１１は、患者端末１から処方箋情報のみならず、処方箋情報以外の患者情報を受け付けてよいし、患者端末１以外から処方箋情報やその他の患者情報を受け付けてよい。
【００２５】
患者情報抽出部２１２は、処方箋情報送信要求を受け付けたことに応じて、添付文書ＤＢ２２２を参照して処方箋情報送信要求に含まれる処方箋情報に関連する患者情報を患者情報ＤＢ２２１から抽出する。
ここで、処方箋情報に関連する患者情報とは、薬剤師が処方箋情報に含まれる薬剤を交付するにあたり参照する必要性の高い患者情報をいい、処方箋情報に含まれる薬剤を交付するために薬剤師が参照する必要の低い患者情報は含まれない。
処方箋情報に関連する患者情報は、主に添付文書（薬剤を提供する製薬会社が発行する薬剤に関する説明が書かれた文書）に記載された情報に基づいて判断され、本実施形態においては添付文書ＤＢ２２２に記録された情報に基づいて判断される。例えば、処方箋情報に関連する患者情報は、薬剤の服用に影響する疾患（所定の疾患に投与すると副作用が発生する又は増加するとする情報や所定の疾患に投与する薬効が増強される又は減弱されるとする情報）、薬剤の服用に影響する他の薬剤（所定の薬剤（一般薬も含む）又は飲食物と併用して投与すると副作用が発生する又は増加するとする情報、所定の薬剤（一般薬も含む）又は飲食物と併用して投与すると薬効が増強される又は減弱されるとする情報や同様の薬効・作用機序の薬剤が投与されているためさらに投与したとしても効果が見込めないとする情報）等に基づいて判断される。この場合の処方箋情報に関連する患者情報は、例えば、禁忌、推定禁忌、重複、注意及び確認等に分類される。
患者情報抽出部２１２が、処方箋情報に関連する範囲に限って患者情報を抽出して、抽出された患者情報は後述のように処方箋情報とともに薬局に送信される。そのため、薬局においては、患者からヒアリングを行わなくても処方箋監査を行うことができ、薬剤の交付までの患者待ち時間を短縮することができる。他方、処方箋情報に関連しない患者情報は、薬局に送信されないため、患者は必要以上に個人情報を開示する必要がなく、安心して薬剤の交付を受けることができる。
【００２６】
患者情報抽出部２１２が行う処方箋情報に関連する患者情報の抽出について、具体例を説明する。
例えば、患者情報受付部２１１が、患者端末１から薬剤Ａ及び薬剤Ｂが処方されたとする処方箋情報を含む患者情報を受け付けたとする。この場合に、患者情報抽出部２１２は、添付文書ＤＢ２２２を参照して、薬剤Ａについて、疾患「筋無力症」（薬剤の服用に影響する疾患）、疾患「出血性疾患」（薬剤の服用に影響する疾患）、薬剤「Ｃ」（薬剤の服用に影響する他の薬剤）が禁忌である旨の情報を抽出する。そして、患者情報抽出部２１２は、患者情報ＤＢ２２１から、処方箋情報を受け付けた患者について、疾患「筋無力症」又は疾患「出血性疾患」に罹っていないか、薬剤「Ｃ」を服用していないかの情報を抽出する。患者情報抽出部２１２は、疾患「筋無力症」、疾患「出血性疾患」又は薬剤「Ｃ」の患者情報を抽出した場合に、後述の送信制御部２１３により患者情報を送信する。
【００２７】
送信制御部２１３は、受け付けた処方箋情報送信要求及び患者情報抽出部２１２が抽出した患者情報を、ＦＡＸ送信サーバに送信する。
【００２８】
ＦＡＸイメージ生成部３１１は、は、患者情報管理サーバ２から処方箋情報送信要求及び患者情報を受け付けて、処方箋情報送信要求に含まれる処方箋情報及び患者情報に基づいて、ＦＡＸイメージを生成する。
【００２９】
ＦＡＸ送信制御部３１２は、ＦＡＸイメージ生成部３１１が生成したＦＡＸイメージを、処方箋情報送信要求に含まれる薬局情報に基づいて、薬局に送信する。
なお、送信されるＦＡＸイメージは、実物の処方箋と同じイメージ（画像）となるように処方箋情報を送信することが望ましく（処方箋の記載様式は厳格に定められているため）、この場合には患者情報が処方箋イメージと別紙とされる等して、処方箋と区別して送信されることが望ましい。
【００３０】
［処方箋情報送信システム１００の処理］
続いて、図４を参照して、処方箋情報送信システム１００による処方箋情報送信処理について説明する。
処方箋情報送信処理は、患者端末１において、患者による、処方箋情報送信を行うための所定の操作を受け付けたことに応じて開始される。
【００３１】
ステップＳ１において、処方箋情報受付部１１１は、患者の操作に基づいて撮像部１４から処方箋の画像のデータを取得する。
ステップＳ２において、処方箋情報受付部１１１は、ステップＳ１において取得した処方箋の画像のデータに基づいて、処方箋情報を受け付ける。
【００３２】
ステップＳ３において、薬局選択受付部１１２は、薬局情報ＤＢ１２１から薬局情報を抽出する。
ステップＳ４において、薬局選択受付部１１２は、抽出した薬局情報に基づいて薬局情報の一覧を表示する。
ステップＳ５において、薬局選択受付部１１２は、表示した薬局候補の一覧のうち、患者の操作に基づいて一の薬局情報の選択を受け付ける。
【００３３】
ステップＳ６において、送信制御部１１３は、ステップＳ２において受け付けた処方箋情報及びステップＳ５において受け付けた薬局情報を含む処方箋情報送信要求を生成する。
ステップＳ７において、送信制御部１１３は、ステップＳ７において生成した処方箋情報送信要求を患者情報管理サーバ２に送信する。
【００３４】
ステップＳ８において、患者情報受付部２１１は、患者端末１から処方箋情報送信要求を受信する。
ステップＳ９において、患者情報受付部２１１は、患者端末１から受信した処方箋情報送信要求に含まれる、処方箋情報を患者情報として患者情報ＤＢ２２１に記憶する。
【００３５】
ステップＳ１０において、患者情報抽出部２１２は、受信した処方箋情報送信要求に含まれる処方箋情報に基づいて、添付文書情報を添付文書ＤＢ２２２から抽出する。
ステップＳ１１において、患者情報抽出部２１２は、処方箋情報送信要求に係る患者の患者情報のうち、抽出した添付文書情報に該当する患者情報を、患者情報ＤＢ２２１から抽出する。
【００３６】
ステップＳ１２において、送信制御部２１３は、ステップＳ８において受信した処方箋情報送信要求及びステップＳ１１において抽出した患者情報を、ＦＡＸ送信サーバ３に送信する。
【００３７】
ステップＳ１３において、ＦＡＸイメージ生成部３１１は、ステップＳ１２において送信されて受信した処方箋情報送信要求及び患者情報に基づいて、ＦＡＸイメージを生成する。
【００３８】
ステップＳ１４において、ＦＡＸ送信制御部３１２は、処方箋情報送信要求に含まれる薬局情報に基づいて、ステップＳ１３において生成したＦＡＸイメージを薬局にＦＡＸ送信する。
【００３９】
以上のように構成される、情報送信方法は、患者端末１、患者情報管理サーバ２又はＦＡＸ送信サーバ３に処方箋情報を送信させる情報送信方法であって、ステップＳ２とステップＳ１１とステップＳ１４とを患者端末１、患者情報管理サーバ２又はＦＡＸ送信サーバ３に実行させる。
ステップＳ２は、処方箋に記載された薬剤の情報を含む処方箋情報を受け付ける。
ステップＳ１１は、患者情報が記憶された記憶手段から、前記薬剤に関連する患者情報を抽出する。
ステップＳ１４は、処方箋情報と、ステップＳ１１において抽出した患者情報とを薬局に送信する。
これにより、処方箋情報の他に患者情報が付加されるので、薬剤の交付までの患者待ち時間を短縮することができる。
【００４０】
以上から、ステップＳ２は、処方箋が撮影された画像のテキストを認識することにより、処方箋情報を受け付ける。
これにより、処方箋情報の他に患者情報を付加して、薬剤の交付までの患者待ち時間を短縮することができる。
【００４１】
また、ステップＳ１１において抽出される患者情報は、薬剤の服用に影響する疾患に関する情報である。
これにより、処方箋情報の他に患者情報を付加して、薬剤の交付までの患者待ち時間を短縮することができる。
【００４２】
また、ステップＳ１１において抽出される患者情報は、薬剤の服用に影響する他の薬剤に関する情報である。
これにより、処方箋情報の他に患者情報を付加して、薬剤の交付までの患者待ち時間を短縮することができる。
【００４３】
また、処方箋情報送信システム１００は、患者端末１と、患者情報管理サーバ２と、ＦＡＸ送信サーバ３とを備える。
患者端末１は、処方箋情報受付部１１１を備え、患者情報管理サーバ２は、患者情報ＤＢ２２１と患者情報抽出部２１２とを備え、ＦＡＸ送信サーバ３は、ＦＡＸ送信制御部３１２を備える。
処方箋情報受付部１１１は、処方箋に記載された薬剤の情報を含む処方箋情報を受け付ける。
患者情報ＤＢ２２１は、患者情報を記憶する。
患者情報抽出部２１２は、患者情報ＤＢ２２１から、薬剤に関連する患者情報を抽出する。
ＦＡＸ送信制御部３１２は、処方箋情報と、患者情報抽出部２１２において抽出した患者情報とを薬局に送信する。
これにより、処方箋情報の他に患者情報を付加して、薬剤の交付までの患者待ち時間を短縮することができる。
【００４４】
なお、本発明は、上述の実施形態に限定されるものではなく、本発明の目的を達成できる範囲での変形、改良等は本発明に含まれるものである。
【００４５】
上述した一連の処理は、ハードウェアにより実行させることもできるし、ソフトウェアにより実行させることもできる。
換言すると、機能的構成は例示に過ぎず、特に限定されない。即ち、上述した一連の処理を全体として実行できる機能が処方箋情報送信システム１００を構成する何れかのコンピュータに備えられていれば足り、この機能を実現するためにどのような機能ブロックを用いるのかは特に示した例に限定されない。
また、１つの機能ブロックは、ハードウェア単体で構成してもよいし、ソフトウェア単体で構成してもよいし、それらの組み合わせで構成してもよい。
【００４６】
また、上述の実施形態において、患者端末１の処方箋情報受付部１１１は、取得した処方箋の画像のデータからテキスト部分を認識して処方箋情報として受け付けるように、ＯＣＲを利用して処方箋情報を受け付けるが、処方箋情報を取得できるものであればこれに限られない。例えば、処方箋情報受付部１１１は、キーボードとして構成される入力部に対する患者の操作に基づいて処方箋情報を受け付けてよい。また、例えば、処方箋情報受付部１１１は、処方箋情報が二次元コードとして記載されたカードや処方箋情報が記憶されたＩＣタグが付されたカードを読み取ることにより処方箋情報を受け付けてよい。また、例えば、処方箋情報受付部１１１は、処方箋情報が記憶されている場所を示すＵＲＬを二次元コードとして記載されたカードを読み取って、当該ＵＲＬにアクセスすることにより処方箋情報を受け付けてよい。
【００４７】
また、上述の実施形態において、患者端末１の薬局選択受付部１１２は、薬局情報ＤＢ１２１から薬局情報を取得するが、これに限られない。例えば、薬局選択受付部１１２は、患者端末１の位置情報に基づいて、患者端末１周辺の薬局情報をインターネット経由で取得して、薬局候補一覧を作成して表示してもよい。
また、薬局選択受付部１１２において、薬局候補一覧を表示させる際には、薬局の位置を示すシンボルマークを地図上に表示する等により薬局の位置を示してよい。
【００４８】
また、上述の実施形態において、患者情報及び処方箋情報は、ＦＡＸ送信サーバ３により薬局に送信されていたがこれに限られない。
例えば、患者情報及び処方箋情報は、ＦＡＸ送信サーバ３ではなく、患者情報管理サーバ２から薬局へ送信してよいし、患者端末１から薬局へ、処方箋情報及び患者情報管理サーバ２から取得した患者情報を送信してよい。
また、例えば、患者情報と処方箋情報とが異なる機器から送信されてよく、患者情報は患者情報管理サーバ２から薬局にされて、処方箋情報は患者端末１から薬局に送信されてよい。
また、例えば、処方箋情報に患者情報の保存先を示す二次元コード等の識別情報が付加されていて、薬局において識別情報に含まれるＵＲＬにアクセスすることにより患者情報を取得するようにしてよい。
【００４９】
また、上述の実施形態において、ＦＡＸ送信サーバ３は、薬局のＦＡＸを経由して患者情報を送信していたがこれに限られない。
例えば、ＦＡＸ送信サーバ３は、薬局に備えられた、レセプトコンピュータ６や薬歴管理装置７等のコンピュータに通信回線（メールを含む）を経由して送信してよい。
【００５０】
また、処方箋情報送信システム１００を構成する各装置は、上述の実施形態において述べた機能的構成以外の機能を備えてよい。
例えば、患者端末１は、電子お薬手帳としても構成されてよく、電子お薬手帳として構成するための機能的構成をさらに備えていてよい。
処方箋情報送信システム１００において、電子お薬手帳の機能を備えることにより、政府主導の患者が服用する医薬品や健康状態などの情報を一元的に管理するためのｅ−かかりつけ薬局構想や健康ナビゲーション等に処方箋情報送信システム１００を適用させることができる。
【００５１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【符号の説明】
【００５２】
１００  処方箋情報送信システム
１  患者端末
２  患者情報管理サーバ
３  ＦＡＸ送信サーバ
【図１】
2019192272.tif 000003
【図２】
2019192272.tif 000004
【図３】
2019192272.tif 000005
【図４】
2019192272.tif 000006
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
患者端末と、患者情報管理サーバと、を含む処方箋情報送信システムであって、
前記患者端末は、
処方箋に記載された薬剤の情報を含む処方箋情報を受け付ける受付手段を備え、
前記患者情報管理サーバは、
患者に関する検査結果及び測定結果の少なくともいずれかを含む患者情報が記憶された記憶手段と、
前記患者端末から送信された前記処方箋情報に基づいて、前記記憶手段から、前記処方箋に記載された薬剤に関連し、前記患者に関する検査結果及び測定結果の少なくともいずれかを含む患者情報を抽出する抽出手段と、
を備え、
前記処方箋情報送信システムから、前記処方箋情報が利用される送信先に、前記抽出手段によって抽出された前記患者情報が送信される、
処方箋情報送信システム。
【請求項２】
前記受付手段は、処方箋が撮影された画像のテキストを認識することにより、処方箋情報を受け付ける、
請求項１に記載の処方箋情報送信システム。
【請求項３】
前記抽出手段によって抽出される患者情報は、前記薬剤の服用に影響する疾患に関する情報を含む、
請求項１に記載の処方箋情報送信システム。
【請求項４】
前記抽出手段によって抽出される患者情報は、前記薬剤の服用に影響する他の薬剤に関する情報を含む、
請求項１に記載の処方箋情報送信システム。
【請求項５】
患者に関する検査結果及び測定結果の少なくともいずれかを含む患者情報が記憶された記憶手段と、
患者の処方箋に記載された薬剤の情報を含み、他の装置から送信された処方箋情報に基づいて、前記記憶手段から、前記処方箋に記載された薬剤に関連し、前記患者に関する検査結果及び測定結果の少なくともいずれかを含む患者情報を抽出する抽出手段と、
前記処方箋情報が利用される送信先に、前記抽出手段によって抽出された前記患者情報を送信する送信制御手段と、
を備える患者情報管理サーバ。
【請求項６】
患者端末と、患者情報管理サーバと、を含む処方箋情報送信システムで実行される処方箋情報を送信する情報送信方法であって、
処方箋に記載された薬剤の情報を含む処方箋情報を受け付ける受付ステップと、
前記患者端末から送信された前記処方箋情報に基づいて、患者に関する検査結果及び測定結果の少なくともいずれかを含む患者情報が記憶された記憶手段から、前記処方箋に記載された薬剤に関連し、前記患者に関する検査結果及び測定結果の少なくともいずれかを含む患者情報を抽出する抽出ステップと、
前記処方箋情報送信システムから、前記処方箋情報が利用される送信先に、前記抽出ステップにおいて抽出された前記患者情報を送信する送信ステップと、
を含む情報送信方法。
【請求項７】
患者に関する検査結果及び測定結果の少なくともいずれかを含む患者情報が記憶された記憶手段から前記患者情報を取得可能なコンピュータを、
患者の処方箋に記載された薬剤の情報を含み、他の装置から送信された処方箋情報に基づいて、前記記憶手段から、前記処方箋に記載された薬剤に関連し、前記患者に関する検査結果及び測定結果の少なくともいずれかを含む患者情報を抽出する抽出手段、
前記処方箋情報が利用される送信先に、前記抽出手段によって抽出された前記患者情報を送信する送信制御手段、
として機能させるプログラム。